(57)【要約】【課題】負圧及び正圧に強い貯液タンクを提供する。【解決手段】円筒状の胴部と、該胴部の上端を閉塞する上鏡板と、該胴部の下端を閉塞する下鏡板とを備え、前記胴部には複数個の突ビードが等間隔で円周方向に設けられている貯液タンクで、前記突ビードの突出高さは、胴部の上方へ行くに従い高くなるように形成したので、水頭圧の関係で負圧に強く正圧に弱い下方には、突出高さが低い突ビードを設け、逆に負圧に弱く正圧に強い上方には、下方より突出高さが高い突ビードが形成されることとなり、貯液タンク全体を均一に負圧から防止出来ると共に、突出高さが高い突ビードを形成することで発生する、加工時の材料の割れの危険性や、材料の縮み、端面の歪み、真円精度の低下等の不具合を極力抑えながら、負圧と正圧に対してバランス良く補強して、負圧や過圧による破損の危険が少ないタンクを提供出来ると言う効果を有するものである。【選択図】  図３
2014084146.tif 000002
【特許請求の範囲】
【請求項１】
円筒状の胴部と、該胴部の上端を閉塞する上鏡板と、該胴部の下端を閉塞する下鏡板とを備え、前記胴部には複数個の突ビードが等間隔で円周方向に設けられている貯液タンクに於いて、前記突ビードの突出高さは、胴部の上方へ行くに従い高くなるように形成した事を特徴とする貯液タンク。
【発明の詳細な説明】
【技術分野】
【０００１】
この発明は、液体を貯えるタンクに関し、特に電気温水器やヒートポンプ式給湯機の貯液タンクに関するものである。
【背景技術】
【０００２】
従来よりこの種の貯液タンクに於いては、胴部の内側にリング状の補強金具が３個等間隔に溶接されて備えられ、貯液タンクが負圧で内側に変形しようとするのを防止するものであった。（特許文献１参照。）
【先行技術文献】
【特許文献】
【０００３】
【特許文献１】実開昭６２−７６８６３号公報
【発明の概要】
【発明が解決しようとする課題】
【０００４】
ところでこの従来のものでは、補強リングが溶接により胴部に固定されているので、補強リングと胴部との間の部分で隙間腐食を起こし耐用年数が短くなるものであり、又補強リングを別部材で形成しているので、コスト高を招くものであり、更に貯液タンク内は貯液で満杯となり、貯液タンクの下程外側への水頭圧がかかり、逆に上行く程水頭圧が弱くなるので、補強リングを胴部に等間隔に設けたのでは、水頭圧の関係から貯液タンク全体を均一に負圧から守ることが出来ないと共に、胴部の下方は負圧には強く正圧には弱く、反対に上方は負圧には弱く正圧には強いと言う課題を有するものであった。
【課題を解決するための手段】
【０００５】
この発明はこの点に着目し上記課題を解決する為、特にその構成を、円筒状の胴部と、該胴部の上端を閉塞する上鏡板と、該胴部の下端を閉塞する下鏡板とを備え、前記胴部には複数個の突ビードが等間隔で円周方向に設けられている貯液タンクに於いて、前記突ビードの突出高さは、胴部の上方へ行くに従い高くなるように形成したものである。
【発明の効果】
【０００６】
以上のようにこの発明によれば、貯液タンの胴部には複数個の突ビードを等間隔で円周方向に設けると共に、この突ビードの突出高さは胴部の上方へ行くに従い高くなるように形成したので、水頭圧の関係で負圧に強く正圧に弱い下方には、突出高さが低い突ビードを設け、逆に負圧に弱く正圧に強い上方には、下方より突出高さが高い突ビードが形成されることとなり、貯液タンク全体を均一に負圧から防止出来ると共に、突出高さが高い突ビードを形成することで発生する、加工時の材料の割れの危険性や、材料の縮み、端面の歪み、真円精度の低下等の不具合を極力抑えながら、負圧と正圧に対してバランス良く補強して、負圧や過圧による破損の危険が少ないタンクを提供出来ると言う効果を有するものである。
【図面の簡単な説明】
【０００７】
【図１】この発明の一実施形態の貯液タンクの概略構成図。
【図２】同貯液タンクの水頭圧の説明図。
【図３】同要部の拡大断面図。
【発明を実施するための形態】
【０００８】
次にこの発明の一実施形態を図示した給湯用で薄板ステンレス鋼の貯液タンクに基づいて説明する。
１は円筒状の胴部で、この上端は円弧状の上鏡板２が溶接されて閉塞しており、下端は同じく円弧状の下鏡板３が溶接されて閉塞している。
４は前記上鏡板２の頂部に接続された出湯管で、タンク内に貯湯された温水を適宜給湯箇所に設けられた給湯栓（図示せず）の開栓によって出湯するものである。
５は前記下鏡板３の最低部に接続された給水管で、出湯管４から出湯されて減った分の給水を市水の給水圧で補水して常にタンク内を満杯にしておくものである。
【０００９】
６は胴部１の円周方向で等間隔に複数個設けられた突ビードで、この突ビード６は胴部１の外側に向かって一体的に突出させて３個設けており、各突ビード６の間隔Ｌはは等しく等間隔であり、各突ビード６の胴部１の外壁面からの突出高さを最下方の突ビード６Ａの高さＴ１から中央の突ビード６Ｂの高さＴ２、最上方の突ビード６Ｃの高さＴ３の順に上方へ行くに従い高くなるようＴ１＜Ｔ２＜Ｔ３に形成したものであり、水頭圧の関係で負圧に強く正圧に弱い下方には、突出高さが低い突ビード６Ａを設け、逆に負圧に弱く正圧に強い上方には、下方より突出高さが高い突ビード６Ｂ、６Ｃが形成されることとなり、貯液タンク全体を均一に負圧から防止出来ると共に、突出高さが高い突ビード６Ｂ、６Ｃを形成することで発生する、加工時の材料の割れの危険性や、材料の縮み、端面の歪み、真円精度の低下等の不具合を極力抑えながら、負圧と正圧に対してバランス良く補強して、負圧や過圧による破損の危険が少ないタンクを提供するものである。
【００１０】
次にこの一実施形態の作動について説明するが、その前にこの貯液タンクは、タンク内に備えられた電気ヒーター（図示せず）やタンク外に備えられたヒートポンプ装置（図示せず）で、貯液タンク内の給水を加熱して所定温度に沸き上げて満杯に貯湯しているものであります。
又満杯で上下方向に立設した貯液タンクは図２に示すように、タンクの外側に向かう水頭圧は、タンクの下の方が上よりはるかに高く、上に行く程圧力が弱くなるものであり、即ち、この水頭圧の関係で胴部１の下方は負圧には強いが水頭圧にプラスされることになる正圧には弱くなるもので、逆に胴部１の上方へ行くに従って負圧には強く正圧には弱くなるものである。
【００１１】
そこで、この満杯状態の貯液タンクに断水等によりタンクを内側に向かって変形させる負圧が作用した場合、胴部１には補強として突ビード６が形成され、そしてこの各突ビード６Ａ、６Ｂ、６Ｃは上方に行く程突出高さが高くなり、突出高さは突ビード６Ａの高さＴ１＜６Ｂの高さＴ２＜６Ｃの高さＴ３の関係となるもので、水頭圧の関係で負圧に強く正圧に弱い下方には、突出高さが低い突ビード６Ａを設け、逆に負圧に弱く正圧に強い上方には、下方より突出高さが高い突ビード６Ｂ、６Ｃが形成されることとなり、貯液タンク全体を均一に負圧から防止出来ると共に、突出高さが高い突ビード６Ｂ、６Ｃを形成することで発生する、加工時の材料の割れの危険性や、材料の縮み、端面の歪み、真円精度の低下等の不具合を極力抑えながら、負圧と正圧に対してバランス良く補強して、負圧や過圧による破損の危険が少ないタンクを提供出来るものである。
【００１２】
又上鏡板２と下鏡板３については、予め円弧状に形成されているので、負圧に対する耐圧強度は強く、補強を施す必要はなく、薄板を円筒状に巻いた胴部１が耐圧に弱くここの補強が必要であった。
【符号の説明】
【００１３】
１  胴部
２  上鏡板
３  下鏡板
４  出湯管
５  給水管
６  突ビード
Ｔ１、Ｔ２、Ｔ３  高さ
【図１】
2014084146.tif 000003
【図２】
2014084146.tif 000004
【図３】
2014084146.tif 000005